(57)【要約】      （修正有）【課題】１ページ内の記録データの優先順位を判別してエラーや警告等の処理方法を変更することができる記録装置を提供する。【解決手段】１ページ内の記録データの領域毎に優先順位を設定し、記録データの優先順位に適応するエラーや警告等の処理を行うことにより、記録データの優先順位毎に最適なエラーや警告等の処理を実行することができる。【選択図】図４
2006043897.tif 000002
【特許請求の範囲】
【請求項１】
記録データを複数の領域に分割する領域分割手段と、前記領域毎に重要度を設定する重要度設定手段とを具え、
記録を中断した時点の記録終了状態に基づき、エラー処理を変更することを特徴とする記録装置。
【請求項２】
前記領域分割手段は用紙の搬送方向に分割することを特徴とする請求項１に記載の記録装置。
【請求項３】
前記重要度設定手段は重要度の高い領域を選択的に設定することを特徴とする請求項１〜２に記載の記録装置。
【請求項４】
記録を中断した時点で前記重要度の高い領域の記録が終了していない場合、警報を出力し記録動作を継続しないことを特徴とする請求項１に記載の記録装置。
【請求項５】
記録を中断した時点で前記重要度の高い領域の記録が終了している場合、警報を出力することを特徴とする請求項４に記載の記録装置。
【請求項６】
記録を中断した時点で前記重要度の高い領域の記録が終了している場合、警報を出力しないことを特徴とする請求項４に記載の記録装置。
【請求項７】
記録を中断した時点で前記重要度の高い領域の記録が終了している場合、記録動作を継続することを特徴とする請求項５、６に記載の記録装置。
【請求項８】
記録動作を中断する要因が、記録媒体のサイズに起因するものであることを特徴とする請求項１に記載の記録装置。
【請求項９】
記録データを複数の領域に分割する領域分割手段と、前記領域毎に重要度を設定する重要度設定手段とを具え、記録している領域の重要度により、ある特定エラーをマスクすることを特徴とする記録方法。
【請求項１０】
前記記録装置は、記録中の領域の重要度より低い優先順位のエラーはマスクすることを特徴とする請求項９に記載の記録方法。
【請求項１１】
前記記録データは、重要度が高い領域と重要度が低い領域の２つの領域に分割されることを特徴とする請求項９〜１０に記載の記録方法。
【請求項１２】
記録データを複数の領域に分割する領域分割手段と、前記領域毎に重要度を設定する重要度設定手段とを具え、
記録動作を中断した時点で重要度の高い領域の記録が終了している場合、所定のエラー処理をマスクすることを特徴とする記録方法。
【請求項１３】
前記領域分割手段は用紙の搬送方向に分割することを特徴とする請求項１２に記載の記録方法。
【請求項１４】
記録動作を中断した時点で前記重要度の高い領域の記録が終了していない場合、警報を出力し記録動作を継続しないことを特徴とする請求項１２、１３に記載の記録方法。
【請求項１５】
記録動作を中断した時点で前記重要度の高い領域の記録が終了している場合、警報を出力することを特徴とする請求項１２に記載の記録方法。
【請求項１６】
記録動作を中断した時点で前記重要度の高い領域の記録が終了している場合、警報を出力しないことを特徴とする請求項１２に記載の記録方法。
【請求項１７】
記録動作を中断した時点で前記重要度の高い領域の記録が終了している場合、記録動作を継続することを特徴とする請求項１５、１６に記載の記録方法。
【請求項１８】
記録動作を中断する要因が、記録媒体のサイズに起因するものであることを特徴とする請求項１２〜１７に記載の記録方法。
【請求項１９】
前記記録装置は、記録ヘッドを搭載するキャリッジを具えていることを特徴とする、請求項１〜１８に記載の記録装置、又は記録方法。
【請求項２０】
前記記録装置は、記録ヘッドを具え、記録動作時、前記記録ヘッドが静止状態であることを特徴とする、請求項１〜１９に記載の記録装置、又は記録方法。
【発明の詳細な説明】
【技術分野】
【０００１】
本発明は、記録データをプリントバッファに展開して記録を行う記録装置に関するものである。
【背景技術】
【０００２】
従来、記録装置おいては、記録媒体に記録を行うと共に、記録装置内の各種エラーを検知する機能が備えられている。このエラー検知機能は、例えば記録装置のカバーの開閉や、本体内の記録媒体の詰まりや、記録媒体サイズの異常や、記録ヘッドの異常等を検知し、エラーを検知した場合は、記録処理を停止する等のエラー処理を実行する共に、検知したエラー内容をＬＥＤやＬＣＤ等の表示部に表示させる等の処理を実行することにより、ユーザへ発生したエラー内容を報知していた。
（例えば特許文献１）
又、従来の方法で記した記録装置は、エラーを検知してユーザに報知する手段を有してはいるが、１ページ内の記録データをプリントバッファに展開した後は、記録データの内容に関係なく同一の記録制御を実行する。
（例えば特許文献２）
【０００３】
【特許文献１】特開２００３−２０８５７３
【特許文献２】特開平１１-２０８０６９
【発明の開示】
【発明が解決しようとする課題】
【０００４】
しかし、上記従来の記録装置では１ページ内の記録データの優先順位を判別してエラーや警告等の処理方法を変更することができないという課題があった。
【課題を解決するための手段】
【０００５】
そこで本発明は上記の課題を鑑みてなされたものであり、その目的は１ページ内の記録データの優先順位を判別してエラーや警告等の処理方法を変更することが可能な記録装置を提供することである。
【０００６】
上記目的を達成するため本発明は、次の手段を実施した。
【０００７】
即ち本発明は、記録データを複数の領域に分割する領域分割手段と、前記領域毎に重要度を設定する重要度設定手段とを具え、
記録動作を中断した時点の記録終了状態に基づき、エラー処理を変更することを特徴とする記録装置を実施した。
【０００８】
又、本発明では、記録データを複数の領域に分割する領域分割手段と、前記領域毎に重要度を設定する重要度設定手段とを具え、
記録動作を中断した時点で重要度の高い領域の記録が終了している場合、所定のエラー処理をマスクすることを特徴とする記録方法を実施した。
【発明の効果】
【０００９】
本発明の実施により、分割された記録領域にある優先順位を付与することによって、重要な領域の記録が終了したか否かを判定することができるので、記録動作の中断〜再開可能である場合にはスムーズな移行が可能となり、生産性の高い記録装置、記録方法を提供できる。
【発明を実施するための最良の形態】
【００１０】
以下、図面を参照して本発明を実施する最良の形態について詳細に説明する。
（第１の実施例）
本実施例で使用する、インクジェット方式によるカード記録装置（以下「記録装置」）とパーソナルコンピュータ（以下「ＰＣ」）を接続した構成図を図１に示す。
【００１１】
記録装置（１０６）の正面には記録装置の操作パネル（１１３）と電源ＯＮ／ＯＦＦをコントロールする電源スイッチ（１１２）とインク交換や用紙の詰まりを解除する等のメンテナンスを行う場合に開閉する本体ドア（１１１）が装着されており、給紙部（１０７）には用紙を所定サイズにカットした用紙（１０９）がセットされ、排紙部（１０８）には記録済みの用紙（１１０）が積載されている。
【００１２】
ＰＣ（１０１）と記録装置（１０６）はプリンタケーブル（１０５）で接続され、記録装置（１０６）はＰＣ（１０１）よりプリンタケーブル（１０５）を介して制御コマンドを受信し処理を行う。
【００１３】
本実施例で使用するＰＣ（１０１）のブロック図を図１８に示す。
ＰＣ（１０１）は、入力手段であるキーボード（１０３）やマウス（１０４）とはキーボードインタフェース（１８０４）とマウスインタフェース（１８０５）を介して接続され、記録装置（１０６）とはプリンタインタフェース（１８０６）を介して接続され、表示装置であるＣＲＴ（１０２）とは、ビデオコントローラ（１８０３）を介して接続されている。
【００１４】
ＰＣ（１０１）は、ＭＰＵ（１８００）がハードディスク（１８０２）上のアプリケーションソフトを実行することで、記録データを作成する処理や、メモリ（１８０１）に記憶されている記録情報を制御コマンドに変換し、プリンタインタフェース（１８０６）を介してプリンタケーブル（１０５）に出力する処理を実行する。
【００１５】
本実施例で使用する記録装置の操作パネルを図２に示す。
操作パネル（１１３）上には、エラー発生を通知するエラーＬＥＤ（２０２）、警告発生を通知する警告ＬＥＤ（２０３）、電源投入状態等を通知するレディＬＥＤ（２０１）、エラー解除等を行う為のリセットキー（２０４）、記録装置の状態を表示するＬＣＤ（２００）が存在する。
【００１６】
本実施例で使用する記録装置の概略構成を示す断面図を図３に示す。
【００１７】
記録装置（１０６）は記録部（１１４）と、給紙部（１０７）、それに排紙部（１０８）を備えている。
【００１８】
給紙部（１０７）は、給紙モータ（不図示）の駆動で回転する給紙ローラ（３０３）により用紙（１０９）を記録部（１１４）に給紙する。
記録部（１１４）は、用紙（１０９）を搬送する為の搬送ベルト（３００）と、用紙の位置を検知する為のＴＯＦ（Top Of Form）センサ（３０５）と、インクを吐出させる記録ヘッド（３０１）と、インクを記録ヘッド（３０１）に供給するインクタンクユニット（３０２）と、本体ドアの開閉を検知するドアセンサ（３０４）から成る。
【００１９】
インクタンクユニット（３０２）は、記録ヘッド（３０１）とチューブ（不図示）で接続されており、後述する回復モータ（４０８）を制御することで記録ヘッドへインクを供給する。
記録部（１１４）では、搬送ベルト（３００）上を搬送する用紙（１０９）の先端位置をＴＯＦセンサ（３０５）で検出し、検出した位置情報を基に、画像形成信号に応じて記録ヘッド（３０１）からインクを吐出させ、用紙表面にインクを吹き付けて画像を形成する。
【００２０】
本実施例で使用する制御コマンドの構造を図５に示す。
制御コマンドとしては、記録するデータの展開位置や展開サイズや高優先順位領域サイズ（５０３）を指定するフォーマットコマンド（５００）、プリントバッファに展開するイメージデータを含むイメージデータコマンド（５０１）、記録データの終了を示しジョブを開始するジョブ開始コマンド（５０２）が存在し、それらのコマンドをＰＣ（１０１）はプリンタインタフェース（１８０６）を介してプリンタケーブル（１０５）に出力する。記録データの優先順位の領域指定は、高優先順位領域サイズ（５０３）により行う。
【００２１】
本実施例における記録装置（１０６）の電気的な簡易ブロック図を図４に示す。
ＭＰＵ(マイクロプロセッサ)（４００）は、プログラムＲＯＭ（４０１）に格納された制御プログラムを実行することで以下の制御を実現する。
１） 通信制御ドライバ（４０４）の制御によりＰＣ（１０１）から出力された制御コマンドを受信する。
２） 受信した制御コマンドのうち、フォーマットコマンド（５００）の各種パラメータはＲＡＭ（４０２）に記憶、イメージデータコマンド（５０１）はプリントバッファであるＶＲＡＭ（４０３）に展開し、ジョブ開始コマンド（５０２）を受信すると記録動作を開始する。
モータドライバ（４０５）を制御し、給紙モータ（４０６）、搬送モータ（４０７）、
回復モータ（４０８）を駆動する。
記録装置の状態に応じて、入出力ポート（４１０）を介して、エラーＬＥＤ（２０２）、レディＬＥＤ（２０１）、警告ＬＥＤ（２０３）のＯＮ（点灯）／ＯＦＦ（消灯）の制御を行い、ＬＣＤドライバ（４１１）を制御してＬＣＤ（２００）にメッセージを表示する。
５） 入出力ポート（４１０）を介して、周期的にリセットキー（２０４）、電源スイッチ（１１２）、本体ドア（１１１）の入力を監視する。
入出力ポート（４１０）を制御してＴＯＦ（Top Of Form）センサ（３０５）で検知した用紙の先端位置を基準とする用紙位置情報に同期して、ヘッド駆動回路（４０９）を制御することにより、記録ヘッド（３０１）を駆動しインクを吐出することで、ＶＲＡＭ（４０３）に展開されているイメージデータに従って用紙に記録する。
【００２２】
本実施例における「記録ジョブの制御処理」のフローチャートを図６に、本実施例におけるＲＡＭのメモリマップを図１９に示す。
本フローは、プログラムＲＯＭ（４０１）に格納された制御プログラムに基づいてＭＰＵ（４００）が実行する。
【００２３】
記録装置の電源が投入され、各種初期化処理が正常に行われ、データ受信可能状態になると本処理が起動される。まず、ＰＣ（１０１）からのフォーマットコマンドの受信をチェック（Ｓ６００）し、フォーマットコマンドを受信すると（Ｓ６００がＹＥＳ）、各種パラメータをＲＡＭ（４０２）に保存（Ｓ６０１）する。
【００２４】
ここで、重要度の高い高優先順位領域サイズ（５０３）もＲＡＭ（４０２）上の領域Ｙに保存する。
【００２５】
次に継続的に受信するイメージデータコマンドをジョブ開始コマンド（５０２）受信までＶＲＡＭ（４０３）に展開（Ｓ６０２）し、記録データ展開が終了すると、警告が発生しているかをチェック（Ｓ６０３）し、発生している場合（S６０３がＹＥＳ）は警告消去処理（Ｓ６０４）にて警告ＬＥＤ（２０２）を消灯させ、ＬＣＤ（２００）に表示されている警告表示を消去する。次に給紙部より用紙を１枚記録部に給紙（Ｓ６０５）し、給紙ローラ（３０３）により本体部に搬送する。さらに用紙は搬送ベルト（３００）により搬送され、用紙先端をＴＯＦセンサで検知（Ｓ６０６がＹＥＳ）後、用紙が印字開始位置に到達（Ｓ６０７がＹＥＳ）すると記録処理（Ｓ６０８）を開始する。記録終了後は、排紙処理（Ｓ６０９）を実行し、エラーが発生していれば（Ｓ６１０がＹＥＳ）エラー処理（Ｓ６１１）を行い、リセットキー（２０４）が押下されれば（Ｓ６１２がＹＥＳ）、エラー消去処理（Ｓ６１３）にてエラーＬＥＤ（２０３）を消灯させ、ＬＣＤ（２００）に表示されているエラー表示を消去する。エラーが発生していなければ（Ｓ６１０がＮＯ）、再度フォーマットコマンド待ち（Ｓ６００）となる。
【００２６】
本実施例における記録装置において記録した用紙の例を図１５に示す。
本実施例では上方向に用紙（１５００）を搬送して記録を行う。
また記録データの優先順位は、金券情報である高優先順位領域（１５０１）と公告情報である低優先順位領域（１５０２）の２つが存在し、高優先順位領域は必ず記録データの先頭側に存在する。高優先順位領域サイズ（５０３）では、高優順位領域（１５０１）の搬送方向のドット数を指定する。
【００２７】
本実施例における「記録処理」のフローチャートを図７に示す。
本フローは、プログラムＲＯＭ（４０１）に格納された制御プログラムに基づきＭＰＵ（４００）が実行する。
【００２８】
最初にエラーが発生しているかチェック（Ｓ７００）し、エラーが発生している場合（Ｓ７００がＹＥＳ）は記録処理を行わずに本処理を終了する。エラーが発生していなければ（Ｓ７００がＮＯ）、ＲＡＭ（４０２）上の領域Ｘ（記録ラインカウント）に０を代入して初期化する（Ｓ７０１）。次に搬送モータ（４０７）を駆動して１ドット分搬送（Ｓ７０２）させ、該ラインに対応するＶＲＡＭ（４０３）内の記録データを記録ヘッド（３０１）よりインクを吐出させて記録（Ｓ７０３）し、Ｘをインクリメントする。そして記録が終了していれば（Ｓ７０５がＹＥＳ）、本処理を終了する。記録が終了していなければ（Ｓ７０５がＮＯ）、ＴＯＦセンサの状態をチェック（Ｓ７０６）し、ＴＯＦセンサがＯＮ（用紙あり）の場合（Ｓ７０６がＮＯ）は次のラインを印字する。ＴＯＦセンサがＯＦＦ（用紙なし）の場合（Ｓ７０６がＹＥＳ）は印字を中止し（S７１０）、Ｙ（高優先順位領域サイズ）とＸ（記録ラインカウント）を比較（Ｓ７０７）し、「Ｙ＞Ｘ」の場合（Ｓ７０７がＹＥＳ）は、高優先順位領域の印字が終了していないので用紙サイズエラー処理（Ｓ７０８）により、エラーメッセージをＬＣＤ（２００）に表示し、エラーＬＥＤ（２０２）を点灯させ本処理を終了する。また、「Ｙ≦Ｘ」の場合（Ｓ７０７がＮＯ）は、高優先順位領域の印字は終了しているが、低優先順位領域の印字が終了していないので用紙サイズ警告処理（Ｓ７０８）により警告ＬＥＤ（２０３）を点灯させ、警告メッセージをＬＣＤ（２００）に表示させ、本処理を終了する。
【００２９】
このように印刷中止が、金券情報のような優先度の高い領域を印刷している際に発生した場合はエラーとし、広告情報のような優先度の低い領域を印刷している際に発生した場合は、既に優先度の高い領域の印刷が完了しているため、警告を発生する。
【００３０】
以上説明したように、上記の構成において記録データの優先順位に適応するエラーや警告等の処理を行うことにより、記録データの優先順位毎に最適なエラーや警告等の処理を実行することができる。
【００３１】
なお以上説明した実施例では、印字中に発生したエラーとして用紙サイズエラーを例として挙げたが、本発明はこれに限らずインクなし等のその他エラーでも有効である。
（第２の実施例）
本実施例で使用する、インクジェット方式によるカラーカード記録装置（以下「記録装置」）とパーソナルコンピュータ（以下「ＰＣ」）を接続した構成図を図８に示す。
【００３２】
記録装置（８０６）には操作パネル（８１１）と電源ＯＮ／ＯＦＦをコントロールする電源スイッチ（８１２）とインク交換や用紙の詰まりを解除する等のメンテナンスを行う場合に開閉する本体ドア（不図示）が装着されており、給紙トレイ（８０７）には用紙を所定サイズにカットした用紙（８０９）がセットされ、排紙トレイ（８０８）には記録済みの用紙（８１０）が積載されている。
【００３３】
ＰＣ（８０１）と記録装置（８０６）はプリンタケーブル（８０５）で接続され、記録装置（８０６）はＰＣ（８０１）よりプリンタケーブル（８０５）を介して制御コマンドを受信し処理を行う。
【００３４】
本実施例で使用する制御装置であるＰＣは、第１の実施例と同様であるため、その説明は省略する。
【００３５】
本実施例で使用する記録装置の操作パネルを図９に示す。
操作パネル上には、エラーおよび警告の発生を通知するエラー／警告ＬＥＤ（９０２）、電源投入状態等を通知するレディＬＥＤ（９０１）、エラー解除等を行う為のリセットキー（９０3）、記録装置の状態を表示するＬＣＤ（９００）が存在する。
【００３６】
本実施例で使用する記録装置の概略構成を示す断面図を図１０に示す。
記録装置（８０６）は記録部（１０１４）、給紙部（１０１３）、排紙部（１０１５）を備えている。給紙部（１０１３）は、給紙モータ（不図示）の駆動をうけ回転する給紙ローラ（１００６）により給紙トレイ（８０７）上に積載された用紙（１００５）を記録部（１０１４）に給紙する。
【００３７】
記録部（１０１４）は、給紙部より給紙された用紙（１００５）を排紙部（１０１５）に向け搬送する搬送ローラ（１００７）、用紙（１００５）を支え搬送する為の搬送プラテン（１０１６）と、用紙の位置を検知する為のＴＯＦ（Top Of Form）センサ（１００４）と、ブラックインクを吐出させるブラック記録ヘッド（１００２K）、シアンインクを吐出させるシアン記録ヘッド（不図示）、マゼンタインクを吐出させるマゼンタ記録ヘッド（不図示）、イエローインクを吐出させるイエロー記録ヘッド（不図示）と、ブラックインク、シアンインク、マゼンタインク、イエローインクの各色インクを各記録ヘッドに供給するインクタンクユニット（１００１）と、本体ドア（１０１０）の開閉を検知するドアセンサ（１００９）と、用紙を排紙部に向けて搬送する排紙ローラ（１０００）から構成される。キャリッジ（１０１２）はインクタンクユニット（１００１）と各記録ヘッドから構成され、キャリッジモータ（１００８）で回転駆動する駆動ベルト（１００３）により走査する。
【００３８】
搬送プラテン（１０１６）上を搬送する用紙（１００５）は、ＴＯＦセンサ（１００４）で用紙の先端位置が検出され、用紙が記録位置に到達すると、用紙搬送を停止し、キャリッジ（１０１２）を用紙搬送方向に対し直行する方向に走査（以降、スキャンとも記す）するのに同期して、画像形成信号に応じて各記録ヘッドからインクを吐出させ用紙表面に画像を形成する。このようにキャリッジ走査と用紙搬送を繰り返し行い、記録画像を用紙に形成する。また各記録ヘッドは３０４個の記録ノズル（１０１１）から構成されており、１回の走査で３０４ドットのフルカラー画像を形成する。画像が形成された用紙は排紙部（１０１５）に向けて搬送され、排紙トレイ（８０８）上に収納される。
【００３９】
本実施例で使用する制御コマンドの構造を図１２に示す。
制御コマンドとしては、記録するデータの展開位置や展開サイズや高優先順位領域サイズ（１２０３）を指定するフォーマットコマンド（１２００）、プリントバッファに展開するイメージデータを含むイメージデータコマンド（１２０１）、記録データの終了を示しジョブを開始するジョブ開始コマンド（１２０２）が存在し、それらのコマンドをＰＣ（８０１）はプリンタインタフェース（１８０６）を介してプリンタケーブル（８０５）に出力する。イメージデータの色情報は色情報（１２０４）により指定され、記録データの優先順位の領域指定は、高優先順位領域サイズ（１２０３）により指定される。
【００４０】
本実施例における記録装置において記録した用紙の例を図１６に示す。
本実施例では、記録装置では上方向に用紙（１６００）を搬送して記録を行う。
また記録データの優先順位は、金券情報である高優順位領域（１６０１）と公告情報である低優先順位領域（１６０２）の２つが存在し、高優先順位領域は必ず記録データの先頭側に存在する。高優先順位領域サイズ（１２０３）では、高優順位領域（１６０１）の搬送方向のドット数を指定する。
【００４１】
本実施例における記録装置の電気的な簡易ブロック図を図１１に示す。
ＭＰＵ(マイクロプロセッサ)（１１００）は、プログラムＲＯＭ（１１０１）に格納された制御プログラムを実行することで以下の制御を実現する。
１） ＰＣ（８０１）から出力された制御コマンドを通信制御ドライバ（１１０４）を制御して受信する。
２） 受信した制御コマンドのうち、フォーマットコマンド（１２００）の各種パラメータはＲＡＭ（１１０２）に記憶し、イメージデータコマンド（１２０１）はプリントバッファであるＶＲＡＭ（１１０３）に展開し、１走査分の画像データを受信すると記録動作を開始する。
３）モータドライバ（１１０５）を制御し、給紙モータ（１１０９）、搬送モータ（１１１０）、キャリッジモータ（１１１１）を駆動する。
４） 記録装置の状態に応じて、入出力ポート（１１０７）を介して、エラー／警告ＬＥＤ（９０２）、レディＬＥＤ（９０１）のＯＮ（点灯）／ＯＦＦ（消灯）の制御を行い、ＬＣＤドライバ（１１０８）を制御してＬＣＤ（９００）にメッセージを表示する。
５）入出力ポート（１１０７）を介して、周期的にリセットキー（９０３）、電源キー（８１２）、本体ドア（１０１０）の入力を監視する。
入出力ポート（１１０７）を制御してＴＯＦ（Top Of Form）センサ（１００４）で検知した用紙の先端位置を基準とした用紙位置情報に応じて、ヘッド駆動回路（１１０６）を制御することにより、ブラック記録ヘッド（１００２K）、シアン記録ヘッド（１００２C）、マゼンタ記録ヘッド（１００２M）、イエロー記録ヘッド（１００２Y）を駆動しインクを吐出することで、ＶＲＡＭ（１１０３）に展開されているイメージデータを用紙に記録する。
【００４２】
本実施例における「記録ジョブの制御処理」のフローチャートを図１３に示し、ＲＡＭのメモリマップは第１の実施例と同様であるため、その説明は省略する。
【００４３】
本フローは、プログラムＲＯＭ（１１０１）に格納された制御プログラムに基づきＭＰＵ（１１００）が実行する。
【００４４】
記録装置の電源が投入され、各種初期化処理が正常に行われ、データ受信字可能状態になると本処理が起動される。まず、ＰＣ（８０１）からフォーマットコマンドの受信をチェック（Ｓ１３００）し、フォーマットコマンドを受信すると（Ｓ１３００がＹＥＳ）、各種パラメータをＲＡＭ（１１０２）に保存（Ｓ１３０１）する。高優先順位領域サイズ（１２０３）もＲＡＭ（１１０２）上の領域Ｙに保存する。次に給紙部より用紙を１枚記録部に給紙（Ｓ１３０３）し、用紙先端をＴＯＦセンサで検知（Ｓ１３０４がＹＥＳ）後、用紙が印字開始位置に到達（Ｓ１３０５がＹＥＳ）すると、記録処理（Ｓ１３０６）を開始する。記録終了後は、排紙処理（Ｓ１３０７）を実行し、エラーが発生していれば（Ｓ１３０８がＹＥＳ）エラー処理（Ｓ１３０９）を行い、リセットキーが押下されれば（Ｓ１３１０がＹＥＳ）、エラー消去処理（Ｓ１３１１）にてエラー／警告ＬＥＤ（９０２）を消灯させ、ＬＣＤ（９００）に表示されているエラー表示を消去する。エラーが発生していなければ（Ｓ１３０８がＮＯ）、再度フォーマットコマンド待ち（Ｓ１３００）となる。
【００４５】
本実施例における「記録処理」のフローチャートを図１４に示す。
本フローは、プログラムＲＯＭ（１１０１）に格納された制御プログラムをＭＰＵ（１１００）が実行する。
【００４６】
最初にエラーが発生しているかチェック（Ｓ１４００）し、エラーが発生している場合（Ｓ１４００がＹＥＳ）は記録処理を行わずに本処理を終了する。エラーが発生していなければ（１４００がＮＯ）、ＲＡＭ（１１０２）上の領域Ｘ（記録ラインカウント）に０を代入して初期化する（Ｓ１４０１）。次に搬送モータ（１１１０）を駆動して記録ヘッドの１走査分、すなわち３０４ドット分搬送（Ｓ１４０３）させ、該ラインに対応するＶＲＡＭ（１１０３）内の記録データを記録ヘッド（１００２）よりインクを吐出させて記録（Ｓ１４０４）し、Ｘをインクリメントする（S１４０５）。そして記録が終了していれば（Ｓ１４０６がＹＥＳ）、本処理を終了する。記録が終了していなければ（Ｓ１４０６がＮＯ）、ＴＯＦセンサの状態をチェック（Ｓ１４０７）し、ＴＯＦセンサがＯＮ（用紙あり）の場合（Ｓ１４０７がＮＯ）はドアが開いてないかチェックする（S１４０８）。
【００４７】
ドアが閉じている場合（S１４０８がNO）は、次のスキャン画像を印字するのに対し、ドアが開いている場合（S１４０８がYES）、Ｙ（高優先順位領域サイズ）とＸ（記録ラインカウント）を比較（Ｓ１４０９）する。「Ｙ≦Ｘ」の場合（S１４０９がＮＯ）は、高優先順位領域の印字は終了しているので、エラードアオープンエラー処理により、エラーメッセージをＬＣＤ（９００）に表示し（Ｓ１４１０）、エラー／警告ＬＥＤ（９０２）を点灯させ、ドアが閉じられるのを待つ（Ｓ１４１１）。「Ｙ＞Ｘ」の場合（Ｓ１４０９がＹＥＳ）は、高優先順位領域の印字が終了していないので、エラー処理を行わず、「Ｙ≦Ｘ」となるまで印刷を継続する。
【００４８】
続いて、ＴＯＦセンサがＯＦＦ（用紙なし）の場合（Ｓ１４０７がＹＥＳ）は印字を中止し、Ｙ（高優先順位領域サイズ）とＸ（記録ラインカウント）を比較（Ｓ１４１３）し、「Ｙ＞Ｘ」の場合（Ｓ１４１３がＹＥＳ）は、高優先順位領域の印字が終了していないので用紙サイズエラー処理（Ｓ１４１４）により、エラーメッセージをＬＣＤ（９００）に表示し、エラー／警告ＬＥＤ（９０２）を点灯させ本処理を終了する。また、「Ｙ≦Ｘ」の場合（Ｓ１４１３がＮＯ）は、高優先順位領域の印字は終了しているので、用紙（１００５）を排紙トレイ（８０８）に排出し、本処理を終了する。
【００４９】
このように用紙の印刷に影響を及ぼさないような優先度の低いドアオープンが発生した際に印刷していた領域が、金券情報のような優先度の高い印字領域であった場合は印刷を中止せずに処理を続行し、反対に広告情報のような優先度の低い領域であった場合は印刷を一時停止しエラー処理を行う。さらに、金券情報のような優先度の高い領域を印刷中に用紙サイズエラーが発生した場合は、エラーを発生すると同時に印刷を中止し、用紙を排出する。反対に広告情報のような優先度の低い領域を印刷している際に用紙サイズエラーが発生した場合は、優先度の高い領域の印刷が既に終了しているため、エラーを発生することなく印刷を中止し、用紙を排出する。
【００５０】
以上説明したように、記録データの優先順位に適応するエラーや警告等の処理を行うことにより、記録データの優先順位毎に最適なエラーや警告等の処理を実行することができる。
なお以上説明した実施例では、印字中に発生するエラーとして用紙サイズエラーとドアオープンエラーを例として挙げたが、記録装置に発生するインクなし等のその他エラーに関しても有効である。さらに上記実施例ではシリアル印字方式を採用した記録装置を例に挙げて説明したが、記録素子の配列方向と異なる方向に相対して搬送される記録媒体に対し記録を行うライン記録方式の記録装置においても有効である。
（第３の実施例）
本実施例で使用する、インクジェット方式によるカード記録装置（２００２）（以下「記録装置」）にパーソナルコンピュータ（以下「ＰＣ」）を接続した構成図を図２０に示す。
記録装置（２００２）には操作パネル（２００１）と、電源ＯＮ／ＯＦＦをコントロールする電源スイッチ（２００３）と、インク交換や用紙の詰まりを解除する時等に開閉する本体ドア（２０００）と、所定サイズにカットされた用紙（２００５）が挿入される給紙口（２００４）と用紙を図中の矢印方向に搬送する搬送ローラ（２００６）を装備する。
【００５１】
ＰＣ（２００７）と記録装置（２００２）はプリンタケーブル（２００８）で接続され、記録装置（２００２）はＰＣ（２００７）よりプリンタケーブル（２００８）を介して、制御コマンドを受信し、後述する画像フォームの登録処理等を行う。
【００５２】
本実施例で使用する制御コマンドの構造を図２５に示す。
制御コマンドとしては、記録するデータの展開位置や展開サイズや高優先順位領域サイズ（２５０３）を指定するフォーマットコマンド（２５００）、記録画像のビットマップデータであるイメージデータを含むイメージデータコマンド（２５０１）、記録データの終了を示し登録を開始する登録開始コマンド（２５０２）が存在し、ＰＣ（２００７）はこれらコマンドをプリンタケーブル（２００８）に出力する。記録データの優先順位の領域指定は、高優先順位領域サイズ（２５０３）により指定される。登録開始コマンド（２５０２）を記録装置（２００２）が受信すると、後述するフラッシュＲＯＭにイメージデータ（２５０１）および高優先順位領域サイズ（２５０３）を画像フォームとして登録する。
【００５３】
本実施例で使用する記録装置の操作パネル（２００１）の詳細を図２１に示す。
操作パネル（２００１）には、エラーおよび警告の発生を通知するエラー／警告ＬＥＤ（２１０２）、電源投入状態等を通知するレディＬＥＤ（２１０１）、エラー解除等を行う為のリセットキー（２１０３）、記録装置の状態や操作メニューを表示するＬＣＤ（２１００）、ＬＣＤ（２１００）に表示されるメニューを操作／選択する上キー（２１０４）、下キー（２１０５）、および選択したメニューを決定するエンターキー（２１０６）が存在する。
【００５４】
本実施例の記録装置において記録した用紙の例を図２６に示す。
本実施例の記録装置は、上方向に用紙（２６００）を搬送して記録を行う。
また記録データの優先順位は、金券情報である高優順位領域（２６０１）と公告情報である低優先順位領域（２６０２）の２つが存在し、高優先順位領域は必ず記録データの先頭側に存在する。
【００５５】
また記録データは画像フォームのイメージデータによる固定情報（２６０４）と、一枚毎に可変する可変情報（２６０３）に分類される。固定情報（２６０４）は、あらかじめ登録され、後述のフラッシュＲＯＭ（２４０１）に格納された画像フォームから、操作パネル（２００１）により選択された画像フォームのイメージデータであり、可変情報（２５０４）は操作パネル（２００１）を使用し設定される。
【００５６】
本実施例で使用する操作メニューの画像フォーム選択メニュー階層を図２７に、可変情報設定メニュー階層を図３０に示す。
【００５７】
画像フォーム選択メニュー（２７００）が表示されている状態でエンターキー（２１０６）が押されると、ＰＣ（２００７）より記録装置のフラッシュＲＯＭ（２４０１）に登録、格納された画像フォームを選択するメニュー（２７０１、２７０２、２７０３）が表示され、上キー（２１０４）、下キー（２１０５）により、記録を行う画像フォームが選択され、エンターキー（２１０６）により設定される。設定された画像フォームのＩＤはＲＡＭ（２４０２）上の領域Zに保存される。また可変情報（２５０４）は、操作パネルの上キー（２１０４）、下キー（２１０５）により可変情報データを入力し、エンターキーにより決定される。決定された可変情報データは、ＲＡＭ（２４０２）上の領域Wに保存される。
【００５８】
本実施例で使用する記録装置の概略構成を示す断面図を図２３に示す。
記録装置（２００２）は、用紙（２００５）が給紙口（２００４）に挿入されたのを検知する用紙検知センサ（２３０３）と、搬送ローラ（２００６）を回転させる搬送モータ（２３０６）と、搬送ローラ（２００６）の駆動を受け、用紙（２００５）を搬送する搬送ベルト（２３０５）と、用紙の位置を検知する為のＴＯＦ（Top Of Form）センサ（２３０４）と、記録ヘッド（２３０１）を退避位置から記録位置に下降するヘッド昇降モータ（２３０７）と、インクを吐出させる記録ヘッド（２３０１）と、インクを記録ヘッド（２３０１）に供給するインクタンクユニット（２３００）と、本体ドアの開閉を検知するドアセンサ（２３０２）から成る。
【００５９】
インクタンクユニット（２３００）は、記録ヘッド（２３０１）とチューブ（不図示）で接続されており、後述する回復モータ（２４０８）を制御することで記録ヘッドへインクを供給する。
【００６０】
用紙（２００５）が記録装置（２００２）の給紙口（２００４）に挿入され用紙検知センサ（２３０３）により検知されると、記録ヘッド（２３０１）を記録位置に下降移動し、続いて搬送モータ（２３０６）を回転することで、搬送モータの駆動をうけ回転する搬送ベルト（２３０５）により用紙（２００５）が図中矢印で示される方向に給送される。
次に用紙（２００５）がＴＯＦセンサ（Top Of Form）（２３０４）により検知されると、用紙の搬送を停止し、後述するＶＲＡＭ（２４０３）にイメージデータを展開する。画像展開が終了すると、再び用紙（２００５）を搬送させ、記録位置に到達すると、画像形成信号に応じて記録ヘッド（２３０１）からインクを吐出させ、用紙表面にインクを吹き付けて画像を形成する。
【００６１】
本実施例における記録装置の電気的な簡易ブロック図を図２４に示す。
ＭＰＵ(マイクロプロセッサ)（２４００）は、電気的にブロック単位で書き換え可能であるフラッシュＲＯＭ（２４０１）に格納された制御プログラムを実行することで以下の制御を実現する。
１）  入出力ポート（２４０９）を制御して、用紙検知センサ（２３０３）により用紙（２００５）を検知すると、モータドライバ（２４０５）を制御し、ヘッド昇降モータ（２３０７）、及び搬送モータ（２３０６）を駆動する。
２）  ＴＯＦ（Top Of Form）センサ（２３０４）で、搬送された用紙（２００５）を検知すると、搬送モータ（２３０６）の駆動を止め、ＣＧＲＯＭ（２４０７）に格納されたビットマップ形式のフォントデータや、フラッシュＲＯＭ（２４０１）に格納されたイメージデータから記録画像をＶＲＡＭ（２４０３）に展開し、再び搬送モータ（２３０６）を駆動する。
３） 記録装置の状態に応じて、入出力ポート（２４０９）を介して、エラー／警告ＬＥＤ（２１０２）、レディＬＥＤ（２１０１）のＯＮ（点灯）／ＯＦＦ（消灯）の制御を行い、ＬＣＤドライバ（２４１０）を制御してＬＣＤ（２１００）にメッセージを表示する。
４）  入出力ポート（２４０９）を介して、周期的にリセットキー（２１０３）、電源スイッチ（２００３）の入力を監視する。
入出力ポート（２４０９）を制御してＴＯＦ（Top Of Form）センサ（２３０４）で検知した用紙の先端位置を基準とした用紙位置情報に応じて、ヘッド駆動回路（２４０６）を制御することにより、記録ヘッド（２３０１）を駆動しインクを吐出することで、ＶＲＡＭ（２４０３）に展開されているイメージデータを用紙に記録する。
【００６２】
本実施例における記録装置のフラッシュＲＯＭ（２４０１）の構成を図２９に示す。フラッシュＲＯＭ（２４０１）は、制御プログラムが格納されるプログラムエリア（２９００）と、高優先順位領域サイズとイメージデータから成る複数の画像フォームが格納される画像フォームエリア（２９０１）から構成される。
【００６３】
本実施例における「記録ジョブの制御処理」のフローチャートを図２２に、RAM（２４０２）のメモリマップ（１７００）を図１７に示す。
【００６４】
本フローは、フラッシュＲＯＭ（２４０１）に格納された制御プログラムをＭＰＵ（２４００）が実行する。
【００６５】
記録装置の電源が投入され、各種初期化処理が正常に行われと本処理が起動される。まず、
用紙（２００５）が給紙口（２００４）に挿入されると（Ｓ２２００でＹＥＳ）、記録ヘッド（２３０１）を記録位置まで下降し（Ｓ２２１２）、続いて用紙（２００５）を給紙する（Ｓ２２０１）。続いて用紙先端をＴＯＦセンサ（２３０４）で用紙（２００５）を検知すると（Ｓ２２０２でＹＥＳ）、次のように記録データを展開する。まず登録された複数の画像フォームの中から、記録する画像フォームのＩＤをＲＡＭ（２４０２）上に格納されら領域Ｚ（１７０３）から獲得し、ＩＤをもとに記録する画像フォームのイメージデータをフラッシュＲＯＭ（２４０１）からＶＲＡＭ（２４０３）に複写する。同様に画像フォームＩＤから記録する画像フォームの高優先順位領域サイズ（２５０３）をフラッシュＲＯＭ（２４０１）からＲＡＭ（２４０２）上の領域Ｙ（１７０１）に複写する。次にＲＡＭ（２４０２）上の領域Ｗ（１７０４）に格納されている可変情報データに対応するビットマップデータをＣＧＲＯＭ（２４０７）から読み出し、ＶＲＡＭ（２４０３）に可変情報（２６０３）を展開し、用紙１枚分の記録データを完成する（Ｓ２２０３）。続いて用紙を搬送（Ｓ２２０４）し、用紙が印字開始位置に到達（Ｓ２２０５がＹＥＳ）すると、記録処理（Ｓ２２０６）を開始する。記録終了後は、排紙処理（Ｓ２２０７）を実行し、エラーが発生していれば（Ｓ２２０８がＹＥＳ）、エラー処理（Ｓ２２０９）を行い、リセットキーが押下されれば（Ｓ２２１０がＹＥＳ）、エラー消去処理（Ｓ２２１１）にてエラー／警告ＬＥＤ（２１０２）を消灯させ、ＬＣＤ（２１００）に表示されているエラー表示を消去する。エラーが発生していなければ（Ｓ２２０８がＮＯ）、再度用紙待ち（Ｓ２２００）となる。
【００６６】
本実施例における「記録処理」のフローチャートを図２８に示す。
本フローは、フラッシュＲＯＭ（２４０１）に格納された制御プログラムをＭＰＵ（２４００）が実行する。
【００６７】
最初にエラーが発生しているかチェック（Ｓ２８００）し、エラーが発生している場合（Ｓ２８００がＹＥＳ）は記録処理を行わずに本処理を終了する。エラーが発生していなければ（Ｓ２８００がＮＯ）、ＲＡＭ（２４０２）上の領域Ｘ（１７０２：記録ラインカウント）に０を代入して初期化する。次に搬送モータ（２３０６）を駆動して１ドット分搬送（Ｓ２８０２）させ、該ラインに対応するＶＲＡＭ（２４０３）内の記録データを記録ヘッド（２３０１）よりインクを吐出させて記録（Ｓ２８０３）し、Ｘをインクリメントする。そして記録が終了していれば（Ｓ２８０５がＹＥＳ）、本処理を終了する。記録が終了していなければ（Ｓ２８０５がＮＯ）、ＴＯＦセンサの状態をチェック（Ｓ２８０６）し、ＴＯＦセンサがＯＮ（用紙あり）の場合（Ｓ２８０６がＮＯ）は次のラインを印字する。ＴＯＦセンサがＯＦＦ（用紙なし）の場合（Ｓ２８０６がＹＥＳ）は印字を中止し、Ｙ（１７０１：高優先順位領域サイズ）とＸ（１７０２：記録ラインカウント）を比較（Ｓ２８０７）し、「Ｙ＞Ｘ」の場合（Ｓ２８０７がＹＥＳ）は、高優先順位領域の印字が終了していないので用紙サイズエラー処理（Ｓ２８０８）により、エラーメッセージをＬＣＤ（２１００）に表示し、エラー／警告ＬＥＤ（２１０２）を点灯させ本処理を終了する。また、「Ｙ≦Ｘ」の場合（Ｓ２８０７がＮＯ）は、高優先順位領域の印字が終了しているため、正常に本処理を終了する。
このように用紙サイズエラーが、金券情報のような優先度の高い領域を印刷している際に発生した場合は印刷を中止し、広告情報のような優先度の低い領域を印刷している際に発生した場合は、既に優先度の高い領域の印刷が完了しているため、エラーを発生することなく、正常に印刷処理を完了することにより、印字領域の優先度に応じた最適な処理を実現する。
【００６８】
以上説明したように、上記の構成において記録データの優先順位に適応するエラーや警告等の処理を行うことにより、記録データの優先順位毎に最適なエラーや警告等の処理を実行することができる。
【００６９】
なお上記実施例では、印字中に発生したエラーとして用紙サイズエラーを例として挙げて説明したが、本発明はこれに限らず記録装置に発生するインクなし等のその他エラーや警告でも有効である。
（その他の実施例）
実施例では、長尺な台紙に複数のラベルを貼り付けた記録媒体に記録可能なラベル記録装置や、１枚毎に手差しで用紙をセットする記録装置や、インクリボン等を使用する熱転写方式の記録装置や、記録ヘッドを用紙の搬送方向（副走査方向）と直交する方向（主走査方向）にシリアルスキャンさせプラテン上の用紙に対して記録を行う記録装置等、記録装置の種類や記録方式に限定されるものではない。
【産業上の利用可能性】
【００７０】
本発明は高速で生産性の高い記録装置、或いはプリペイド型の記録媒体への記録装置等幅広い分野の記録装置に利用可能である。
【図面の簡単な説明】
【００７１】
【図１】第１実施例が適応される記録装置の概略構成を示す概観図である。
【図２】第１の実施例が適応される記録装置の操作部を示す正面図である。
【図３】第１の実施例が適応される記録装置の概略構成を示す断面図である。
【図４】第１の実施例が適応される記録装置の電気的ブロック図である。
【図５】第１の実施例が適応される記録装置の制御コマンド体系を説明する図である。
【図６】第１の実施例が適応される記録装置の記録ジョブの制御処理を説明するフローチャートである。
【図７】第1の実施例が適応される記録装置の記録処理を説明するフローチャートである。
【図８】第２の実施例が適応される記録装置の概略構成を示す概観図である。
【図９】第２の実施例が適応される記録装置の操作部を示す正面図である。
【図１０】第２の実施例が適応される記録装置の概略構成を示す断面図である。
【図１１】第２の実施例が適応される記録装置の電気的ブロック図である。
【図１２】第２の実施例が適応される記録装置の制御コマンド体系を説明する図である。
【図１３】第２の実施例が適応される記録装置の記録ジョブの制御処理を説明するフローチャートである。
【図１４】第２の実施例が適応される記録装置の記録処理を説明するフローチャートである。
【図１５】第1の実施例が適応される記録装置の記録画像を説明する図である。
【図１６】第２の実施例が適応される記録装置の記録画像を説明する図である。
【図１７】第３の実施例が適応される記録装置のＲＡＭの構成を示す図である。
【図１８】第１、２、３の実施例が適応されるパーソナルコンピュータのブロック図である。
【図１９】第１、２の実施例が適応される記録装置のＲＡＭの構成を示す図である。
【図２０】第３実施例が適応される記録装置の概略構成を示す概観図である。
【図２１】第３の実施例が適応される記録装置の操作部を示す正面図である。
【図２２】第３の実施例が適応される記録装置の記録ジョブの制御処理を説明するフローチャートである。
【図２３】第３の実施例が適応される記録装置の概略構成を示す断面図である。
【図２４】第3の実施例が適応される記録装置の電気的ブロック図である。
【図２５】第３の実施例が適応される記録装置の制御コマンド体系を説明する図である。
【図２６】第３の実施例が適応される記録装置の記録画像を説明する図である。
【図２７】第３の実施例が適応される操作メニューを説明する図である。
【図２８】第３の実施例が適応される記録装置の記録処理を説明するフローチャートである。
【図２９】第３の実施例が適応される記録装置のフラッシュＲＯＭの構成を説明する図である。
【図３０】第３の実施例が適応される操作メニューを説明する図である。
【符号の説明】
【００７２】
１０１  パーソナルコンピュータ
１０２  ＣＲＴ
１０３  キーボード
１０４  マウス
１０６  カード記録装置
１１３  操作パネル
１１４  記録部
２００  ＬＣＤ
２０１  レディＬＥＤ
２０２  エラーＬＥＤ
２０３  警告ＬＥＤ
２０４  リセットキー
４００  ＭＰＵ
４０１  プログラムＲＯＭ
４０２  ＲＡＭ
４０３  ＶＲＡＭ
４０４  通信制御ドライバ
５００  フォーマットコマンド
５０１  イメージデータコマンド
５０２  ジョブ開始コマンド
５０３  高優先順位領域サイズ
９００  ＬＣＤ
９０１  レディＬＥＤ
９０２  エラー／警告ＬＥＤ
９０３  リセットキー
１１００  ＭＰＵ
１１０１  プログラムＲＯＭ
１２００  フォーマットコマンド
１２０１  イメージデータコマンド
１２０２  ジョブ開始コマンド
１２０３  高優先順位領域サイズ
１２０４  色情報
１５００  用紙
１５０１  高優順位領域
１５０２  低優先順位領域
１６００  用紙
１６０１  高優順位領域
１６０２  低優先順位領域
１８００  ＭＰＵ
１８０１  メモリ
２１００  ＬＣＤ
２１０１  レディＬＥＤ
２１０２  エラー／警告ＬＥＤ
２１０３  リセットキー
２４００  ＭＰＵ
２４０１  フラッシュＲＯＭ
２５００  フォーマットコマンド
２５０１  イメージデータコマンド
２５０２  登録開始コマンド
２５０３  高優先順位領域サイズ
２６００  用紙
２６０１  高優順位領域
２６０２  低優先順位領域
２６０３  可変情報
２６０４  固定情報
【図１】
2006043897.tif 000003
【図２】
2006043897.tif 000004
【図３】
2006043897.tif 000005
【図４】
2006043897.tif 000006
【図５】
2006043897.tif 000007
【図６】
2006043897.tif 000008
【図７】
2006043897.tif 000009
【図８】
2006043897.tif 000010
【図９】
2006043897.tif 000011
【図１０】
2006043897.tif 000012
【図１１】
2006043897.tif 000013
【図１２】
2006043897.tif 000014
【図１３】
2006043897.tif 000015
【図１４】
2006043897.tif 000016
【図１５】
2006043897.tif 000017
【図１６】
2006043897.tif 000018
【図１７】
2006043897.tif 000019
【図１８】
2006043897.tif 000020
【図１９】
2006043897.tif 000021
【図２０】
2006043897.tif 000022
【図２１】
2006043897.tif 000023
【図２２】
2006043897.tif 000024
【図２３】
2006043897.tif 000025
【図２４】
2006043897.tif 000026
【図２５】
2006043897.tif 000027
【図２６】
2006043897.tif 000028
【図２７】
2006043897.tif 000029
【図２８】
2006043897.tif 000030
【図２９】
2006043897.tif 000031
【図３０】
2006043897.tif 000032